(57)【特許請求の範囲】
【請求項１】
交流側から供給された交流電力を整流して直流電力を出力する整流器と、
前記整流器の直流側である直流リンクに接続され、前記直流リンクにおける直流電力とモータの駆動電力もしくは回生電力である交流電力とを相互電力変換する逆変換器と、
前記整流器の交流側の停電を検出する停電検出手段と、
前記直流リンクにおける直流電圧値を検出する電圧検出手段と、
前記直流リンクに接続され、直流電力を蓄積し得る蓄電装置と、
前記直流リンクにおける直流電圧よりも高い電圧に前記蓄電装置を充電する昇圧機能を有する充電手段と、
前記蓄電装置と前記直流リンクとを短絡して前記蓄電装置に蓄積された直流電力を前記直流リンクに放電させる放電手段と、
前記直流リンクに接続され、前記停電検出手段が停電を検出した後に前記電圧検出手段が検出した直流電圧値が、抵抗放電開始レベル以上のときに前記直流リンクの直流電力を抵抗放電により消費する抵抗放電動作を開始し、前記抵抗放電開始レベルより小さい抵抗放電停止レベル以下のときに前記抵抗放電動作を停止する抵抗放電装置と、
前記停電検出手段が停電を検出した後から前記電圧検出手段が検出した直流電圧値が第１の閾値以下になるまでの間は前記放電手段を動作させるための放電開始指令を出力せず、前記電圧検出手段が検出した直流電圧値が第１の閾値以下になった場合に、前記放電手段を動作させるための放電開始指令を出力する放電動作判定手段と、
を備え、
前記第１の閾値は、前記整流器の交流側の入力電圧の波高値以下に設定されることを特徴とするモータ制御装置。
【請求項２】
交流側から供給された交流電力を整流して直流電力を出力する整流器と、
前記整流器の直流側である直流リンクに接続され、前記直流リンクにおける直流電力とモータの駆動電力もしくは回生電力である交流電力とを相互電力変換する逆変換器と、
前記整流器の交流側の停電を検出する停電検出手段と、
前記直流リンクにおける直流電圧値を検出する電圧検出手段と、
前記直流リンクに接続され、直流電力を蓄積し得る蓄電装置と、
前記直流リンクにおける直流電圧よりも高い電圧に前記蓄電装置を充電する昇圧機能を有する充電手段と、
前記蓄電装置と前記直流リンクとを短絡して前記蓄電装置に蓄積された直流電力を前記直流リンクに放電させる放電手段と、
前記直流リンクに接続され、前記停電検出手段が停電を検出した後に前記電圧検出手段が検出した直流電圧値が、抵抗放電開始レベル以上のときに前記直流リンクの直流電力を抵抗放電により消費する抵抗放電動作を開始し、前記抵抗放電開始レベルより小さい抵抗放電停止レベル以下のときに前記抵抗放電動作を停止する抵抗放電装置と、
前記停電検出手段が停電を検出した後から前記電圧検出手段が検出した直流電圧値が第１の閾値以下になるまでの間は前記放電手段を動作させるための放電開始指令を出力せず、前記電圧検出手段が検出した直流電圧値が第１の閾値以下になった場合に、前記放電手段を動作させるための放電開始指令を出力する放電動作判定手段と、
を備え、
前記放電動作判定手段は、前記停電検出手段が停電を検出した後、前記電圧検出手段が検出した直流電圧値が前記第１の閾値よりも大きくかつ前記抵抗放電動作停止レベルより小さい値である第２の閾値以上の場合に、前記放電手段の動作を停止させるための放電停止指令を出力することを特徴とするモータ制御装置。
【請求項３】
交流側から供給された交流電力を整流して直流電力を出力する整流器と、
前記整流器の直流側である直流リンクに接続され、前記直流リンクにおける直流電力とモータの駆動電力もしくは回生電力である交流電力とを相互電力変換する逆変換器と、
前記整流器の交流側の停電を検出する停電検出手段と、
前記直流リンクにおける直流電圧値を検出する電圧検出手段と、
前記直流リンクに接続され、直流電力を蓄積し得る蓄電装置と、
前記直流リンクにおける直流電圧よりも高い電圧に前記蓄電装置を充電する昇圧機能を有する充電手段と、
前記蓄電装置と前記直流リンクとを短絡して前記蓄電装置に蓄積された直流電力を前記直流リンクに放電させる放電手段と、
前記直流リンクに接続され、前記停電検出手段が停電を検出した後に前記電圧検出手段が検出した直流電圧値が、抵抗放電開始レベル以上のときに前記直流リンクの直流電力を抵抗放電により消費する抵抗放電動作を開始し、前記抵抗放電開始レベルより小さい抵抗放電停止レベル以下のときに前記抵抗放電動作を停止する抵抗放電装置と、
前記停電検出手段が停電を検出した後から前記電圧検出手段が検出した直流電圧値が第１の閾値以下になるまでの間は前記放電手段を動作させるための放電開始指令を出力せず、前記電圧検出手段が検出した直流電圧値が第１の閾値以下になった場合に、前記放電手段を動作させるための放電開始指令を出力する放電動作判定手段と、
モータの動作を指令するモータ駆動指令または前記モータ駆動指令に基づき動作するモータの出力に関する情報であるモータ出力情報に応じて、前記第１の閾値を設定する閾値設定手段と、
を備え、
前記閾値設定手段は、
前記モータ駆動指令もしくは前記モータ出力情報が、モータが電力を回生する回生状態にあることを示す場合には、前記第１の閾値を、前記整流器の交流側の入力電圧の波高値以下の値に設定し、
前記モータ駆動指令もしくは前記モータ出力情報が、モータが電力を消費する力行状態にあることを示す場合には、前記第１の閾値を、前記モータ駆動指令が示す加速の大きさもしくは前記モータ出力情報が示すモータの出力の大きさに応じて、かつ前記抵抗放電停止レベルより小さい値に、設定することを特徴とするモータ制御装置。
【請求項４】
交流側から供給された交流電力を整流して直流電力を出力する整流器と、
前記整流器の直流側である直流リンクに接続され、前記直流リンクにおける直流電力とモータの駆動電力もしくは回生電力である交流電力とを相互電力変換する逆変換器と、
前記整流器の交流側の停電を検出する停電検出手段と、
前記直流リンクにおける直流電圧値を検出する電圧検出手段と、
前記直流リンクに接続され、直流電力を蓄積し得る蓄電装置と、
前記直流リンクにおける直流電圧よりも高い電圧に前記蓄電装置を充電する昇圧機能を有する充電手段と、
前記蓄電装置と前記直流リンクとを短絡して前記蓄電装置に蓄積された直流電力を前記直流リンクに放電させる放電手段と、
前記直流リンクに接続され、前記停電検出手段が停電を検出した後に前記電圧検出手段が検出した直流電圧値が、抵抗放電開始レベル以上のときに前記直流リンクの直流電力を抵抗放電により消費する抵抗放電動作を開始し、前記抵抗放電開始レベルより小さい抵抗放電停止レベル以下のときに前記抵抗放電動作を停止する抵抗放電装置と、
前記停電検出手段が停電を検出した後、モータの力行動作を指令するモータ駆動指令または前記モータ駆動指令に基づき力行動作するモータの出力に関する情報であるモータ出力情報が、第３の閾値以上となるまでの間は前記放電動作判定手段から放電開始指令が出力されず、前記モータ駆動指令もしくは前記モータ出力情報が第３の閾値以上となった場合に、前記放電手段を動作させるための放電開始指令を出力する放電動作判定手段と、
を備えることを特徴とするモータ制御装置。
【請求項５】
前記放電動作判定手段は、前記停電検出手段が停電を検出した後、モータの回生動作を指令するモータ駆動指令または前記モータ駆動指令に基づき回生動作するモータの出力に関する情報であるモータ出力情報が、前記第３の閾値より小さい前記第４の閾値以下である場合に、前記放電手段の動作を停止させるための放電停止指令を出力する請求項４に記載のモータ制御装置。
【発明の詳細な説明】
【技術分野】
【０００１】
本発明は、交流側から供給された交流電力を直流電力に変換して出力したのちさらにモータの駆動のための交流電力に変換してモータへ供給するモータ制御装置に関し、特に、停電時の保護動作のためのエネルギーを蓄積する蓄電装置および直流リンクの直流電力を抵抗放電により消費する抵抗放電装置を有するモータ制御装置に関する。
【背景技術】
【０００２】
工作機械、鍛圧機械、射出成形機、産業機械、あるいは各種ロボット内のモータを駆動するモータ制御装置においては、交流電源側から入力された交流電力を直流電力に一旦変換したのちさらに交流電力に変換し、この交流電力を駆動軸ごとに設けられたモータの駆動電力として用いている。モータ制御装置は、三相交流入力電源のある交流電源側から供給された交流電力を整流して直流電力を出力する整流器と、整流器の直流側である直流リンクに接続され、直流リンクの直流電力とモータの駆動電力もしくは回生電力である交流電力とを相互電力変換する逆変換器と、を備え、当該逆変換器の交流側に接続されたモータの速度、トルク、もしくは回転子の位置を制御する。
【０００３】
近年、省エネルギー化の要求から、モータ制御装置には、モータ減速時に生じる回生エネルギーを交流電源側に戻すことができる電源回生方式の整流器が多く用いられている。
【０００４】
図１６は、複数のモータを駆動する一般的なモータ制御装置の構成を示す図である。モータ制御装置１０１は、商用の三相交流入力電源３からの交流電力を整流して直流電力を出力する整流器１１と、整流器１１の直流側である直流リンク１３に接続され、整流器１１から出力された直流電力をモータ２の駆動電力として供給される所望の電圧および所望の周波数の交流電力に変換しまたはモータ２から回生される交流電力を直流電力に変換する逆変換器１２と、を備え、当該逆変換器１２の交流側に接続されたモータ２の速度、トルク、もしくは回転子の位置を制御する。逆変換器１２は、複数の駆動軸に対応してそれぞれ設けられる各モータ２に個別に駆動電力を供給してモータ２を駆動制御するためにモータ２の個数と同数個設けられる。一方、整流器１１は、モータ制御装置１０１のコストや占有スペースを低減する目的で、複数の逆変換器１２に対して１個が設けられることが多い。
【０００５】
上位制御装置（図示せず）は、各逆変換器１２に対してモータ駆動指令を送信して当該逆変換器１２による直流電力から交流電力への変換動作（より具体的には、当該逆変換器１２内のスイッチング素子のスイッチング動作）を制御することで、当該逆変換器１２が直流リンク１３における直流電力を変換して所望の交流電力を出力するように制御する。逆変換器１２から出力された交流電力を駆動電力としてモータ２は動作するので、逆変換器１２から出力される交流電力を制御すれば、当該逆変換器１２の交流側に接続されたモータ２の速度、トルク、もしくは回転子の位置を制御することができる。モータ制御装置１０１でモータを減速制御する際には、モータ２から回生電力が発生する。この回生電力は逆変換器１２を経て直流電力に変換されて直流リンク１３に戻され、さらに整流器１１により交流電力に変換されて三相交流入力電源３がある交流電源側に戻される。
【０００６】
このようなモータ制御装置１０１では、整流器１１の交流電源側において停電が発生し入力電源電圧が低下すると、モータ２の正常な運転を継続することができなくなる。このため、モータ２、当該モータ２を駆動するモータ制御装置１０１、当該モータ制御装置１０１が駆動するモータ２に接続されたツール、当該ツールが加工する加工対象、当該モータ制御装置１０１を有する製造ラインなどが、破損したり変形するなどといった何らかの障害が生じることになる。したがって、整流器１１の交流電源側に停電検出手段１４を設けて整流器１１の交流電源側の停電発生の有無を監視し、停電検出手段１４が停電発生を検出した場合には、モータ制御装置１０１は上記障害を回避するかもしくは最小限に抑えるための保護動作を行うよう動作する。停電時の保護動作を行うのに必要なエネルギーを蓄積する装置として、整流器１１と逆変換器１２との間の直流リンク１３に、充電手段１５および放電手段１６を介して蓄電装置１７が接続される。充放電制御手段１１８は、蓄電装置１７に直流電力を蓄積させる充電指令を充電手段１５へ出力し、蓄電装置１７に蓄積された直流電力を直流リンク１３に放電させる放電開始指令を放電手段１６へ出力する。
【０００７】
放電手段１６の動作により蓄電装置１７に蓄積された直流電力は直流リンク１３へ供給され、整流器１１の交流電源側において停電が発生した場合や交流電源側にある三相交流入力電源３が発電機である場合などは、回生エネルギーを三相交流入力電源３がある交流電源側に戻すことができず、直流リンク１３における直流電圧が、整流器１１および逆変換器１２内のスイッチング素子等の耐圧を超える電圧にまで上昇する可能性がある。したがって、このような状況に対応するために、整流器１１と逆変換器１２との間の直流リンク１３に抵抗放電装置１９を設けることによって、蓄電装置１７から供給された直流電力やモータ減速時に生じる回生電力を抵抗放電装置１９内の抵抗（「回生抵抗」とも呼ばれる。）の熱エネルギーとして消費させる対策がとられる。
【０００８】
上述の構成を有するモータ制御装置１０１において、モータ２の駆動前に、充放電制御手段１１８は充電手段１５に対して充電指令を出力し、直流リンク１３における直流電力が蓄電装置１７に充電される。蓄電装置１７の充電電圧が所望の直流電圧に達した後、モータ制御装置１０１は、モータ２の駆動制御を開始する。蓄電装置１７は自然放電等により充電電圧が低下するので、モータ２の駆動中においても充電手段１５による蓄電装置１７の充電は継続して行い、すなわち蓄電装置１７の充電電圧が所定の電圧以下になった場合には充放電制御手段１１８は充電手段１５に対して充電指令を出力し、蓄電装置１７を充電する。
【０００９】
停電検出手段１４が停電発生を検知したら、充放電制御手段１１８は、充電手段１５への充電指令の出力を停止するとともに、放電手段１６へ放電開始指令を出力する。これにより、充電手段１５による蓄電装置１７の充電は停止し、蓄電装置１７に蓄積された直流電力を放電手段１６を介して直流リンク１３に放電させる。上位制御装置（図示せず）は、モータ２、当該モータ２を駆動するモータ制御装置１０１、当該モータ制御装置１０１が駆動するモータ２に接続されたツール、当該ツールが加工する加工対象、当該モータ制御装置１０１を有する製造ラインなどの破壊などの障害を回避もしくは最小限に抑えるための保護動作を行うためのモータ駆動指令を、各逆変換器１２に対して出力する。逆変換器１２は、保護動作のためのモータ駆動指令に基づき当該逆変換器１２内のスイッチング素子のスイッチング動作を行い、直流リンク１３における直流電力を、モータ２が保護動作を実行できるだけの交流電力に変換して出力する。放電手段１６の動作により蓄電装置１７に蓄積された直流電力は直流リンク１３へ供給されるが、これにより、直流リンク１３における直流電圧が、整流器１１および逆変換器１２内のスイッチング素子等の耐圧を超え、各素子を破壊し得る電圧にまで上昇する可能性がある。これを回避するため、保護動作時に直流リンク１３における直流電圧が規定値以上に達した場合、抵抗放電装置１９は直流リンク１３における直流電力を熱エネルギーに変換して消費する。
【００１０】
ここで、充電手段１５、放電手段１６および抵抗放電装置１９の一例を説明すると次の通りである。
【００１１】
例えば、特願２０１２−１５８４８３に係るモータ制御装置は、整流器と逆変換器の間の直流リンクに蓄電装置を備え、蓄電装置に直流リンクの電圧を昇圧して停電時保護動作用のエネルギーを充電することで、単位体積あたりの蓄積エネルギーを最大とし、蓄電装置の体積およびコストを低減させている。
【００１２】
図１７は、特願２０１２−１５８４８３に係るモータ制御装置における充電手段の一具体例を示す回路図である。特願２０１２−１５８４８３に係るモータ制御装置において、直流リンク（図示せず）における直流電圧よりも高い電圧に蓄電装置（図示せず）を充電する昇圧機能を有する充電手段１５は、スイッチＳ１およびＳ２、ダイオードＤ１およびＤ２、ならびにインダクタＬ１からなる昇降圧チョッパ回路により構成される。蓄電装置を充電する際は、蓄電装置の充電電圧と直流リンクにおける直流電圧との比較に基づき、スイッチＳ１およびＳ２をオンオフ制御する。蓄電装置の充電電圧が、直流リンクにおける直流電圧よりも小さい場合には、スイッチＳ２を常時オフし、スイッチＳ１を所定のデューディー比でオンオフ制御して蓄電装置を充電する。その後、蓄電装置の充電電圧が直流リンクにおける直流電圧よりも大きくなった場合には、スイッチＳ１を常時オンし、スイッチＳ２を所定のデューディー比でオンオフ制御して蓄電装置を充電する。このような充電手段１５により、蓄電装置を、直流リンク１３における直流電圧よりも高い電圧まで昇圧して充電することができる。例えば蓄電装置がコンデンサである場合、この蓄電装置に貯えられるエネルギーＰ〔Ｊ〕は、蓄電装置の充電電圧をＶ〔Ｖ〕、コンデンサ容量をＣ〔Ｆ〕とすると式１に示すように充電電圧Ｖの２乗に比例する。
【００１３】
【数１】
0005602890.tif 000002
【００１４】
特願２０１２−１５８４８３に係る発明においては、蓄電装置の電圧を直流リンクに接続される整流器や逆変換器の各素子の耐圧ギリギリまで昇圧することにより、単位体積あたりの蓄積エネルギーを最大にすることができ、蓄電装置の小型化およびコスト低減を図っている。
【００１５】
図１８は、特開平１１−１７８２４５号公報（特許文献１）に記載された発明における放電手段を模式的に示した回路図である。特許文献１に記載された発明において、放電手段１６は、サイリスタＳ３およびインダクタＬ２からなる。整流器（図示せず）の交流電源側の停電発生時にはサイリスタＳ３をオンして直流リンク（図示せず）と蓄電装置（図示せず）とを短絡し、蓄電装置に蓄積しておいた直流電力を直流リンクへ供給する。
【００１６】
図１９は、特願２０１２−１５８４８３に係るモータ制御装置における抵抗放電装置の一具体例を示す回路図である。また、図２０は、特願２０１２−１５８４８３に係るモータ制御装置における抵抗放電装置の一具体例における停電動作時の直流リンクの直流電圧の変動の一例を示す図である。図１９に示すように、抵抗放電装置１９は、抵抗Ｒ１と、この抵抗Ｒ１と直流リンク（図示せず）との間を閉路もしくは開放するスイッチＳ４とを有する。整流器（図示せず）の交流電源側の停電発生検知後、直流リンクにおける直流電圧が予め設定された抵抗放電動作開始レベル以上を超えた場合、スイッチＳ４を閉路させる。これにより、逆変換器（図示せず）から直流リンクへ回生されたエネルギーが抵抗Ｒ１において熱エネルギーとして消費され、直流リンクにおける直流電圧が降下する。その後、直流リンクにおける直流電圧が予め設定された抵抗放電動作停止レベルまで低下した場合、スイッチＳ４を開放する。これにより、逆変換器から直流リンクへ回生されたエネルギーにより直流リンクの直流電圧は上昇に転じる。このように、抵抗放電装置１９の抵抗放電動作の開始および停止により、直流リンクの直流電圧は、抵抗放電動作停止レベルと抵抗放電動作開始レベルとの間で上昇と下降とを繰り返す。一般的には、図２０に示すように、抵抗放電動作開始レベルと抵抗放電動作停止レベルとの間にはヒステリシスが設けられ、抵抗放電装置１９の抵抗放電動作の開始と停止との切替えが頻繁に発生し過ぎないようにしている。
【００１７】
例えば、整流手段とインバータとの間に備えられた平滑コンデンサに、充放電装置を介して蓄電装置を接続し、回生運転時には平滑コンデンサの電圧を降圧して蓄電装置を充電し、力行運転時および停電時には蓄電装置の電圧を昇圧して平滑コンデンサへ放電することで、蓄電装置の容量を増大させることなく、回生電力を有効に利用できるエレベータ装置が提案されている（例えば、特許文献２参照。）。
【００１８】
また例えば、順変換部と逆変換部との間の平滑コンデンサに、ＤＣ−ＤＣ変換器を介して蓄電池を接続し、停電時のインバータ消費電力推定値と蓄電池の電圧によって求めた初期充電電流にて蓄電池を充電し、停電時のみ蓄電池から電力を供給することで、停電発生時には蓄電池が満充電状態で、長時間運転を確実に行うエレベータ装置が提案されている（例えば、特許文献３参照。）。
【００１９】
また例えば、コンバータ部とインバータ部との間にコンデンサを設け、整流器の交流側の交流電圧の低下により生じる整流器の直流側の電圧降下を検知したとき、コンデンサに蓄積されたエネルギーを用いてモータの運転を継続する方法がある（例えば、特許文献４参照。）。
【先行技術文献】
【特許文献】
【００２０】
【特許文献１】特開平１１−１７８２４５号公報
【特許文献２】特開２００２−３３８１５１号公報
【特許文献３】特開２００５−１９２２９８号公報
【特許文献４】特開２００９−２６１１６１号公報
【発明の概要】
【発明が解決しようとする課題】
【００２１】
しかしながら、直流リンクにおける直流電圧よりも高い電圧に蓄電装置を充電する昇圧機能を有する充電手段を用いて蓄電装置を昇圧充電していた場合において、整流器の交流電源側の停電発生直後に蓄電装置から直流リンクへ直流電力の供給を開始すると、抵抗放電装置によって停電時保護動作用のエネルギーが消費されてしまい、予定していた保護動作が行えない場合がある。
【００２２】
図２１は、昇圧機能を有する充電手段を用いて蓄電装置を昇圧充電していた場合において、モータ停止中に停電が発生し蓄電装置から直流リンクへ直流電力を供給した場合における直流リンクおよび蓄電装置の電圧変動について説明する図である。モータ停止中に整流器の交流電源側で停電が発生し、蓄電装置から直流リンクへ直流電力の供給が開始されると、一般に蓄電装置のコンデンサ容量は整流器および逆変換器のコンデンサ容量の総和よりも大きいため直流リンクの直流電圧は蓄電装置の初期充電電圧付近まで上昇する。停電時には交流電源側からモータ駆動のための電力が供給できないため、蓄電装置および直流リンクに蓄えられたエネルギーで保護動作を行う。
【００２３】
しかしながら、モータ回転中に整流器の交流電源側で停電が発生した場合は、蓄電装置のエネルギーを有効活用できない。図２２は、昇圧機能を有する充電手段を用いて蓄電装置を昇圧充電していた場合において、モータ回転中に停電が発生し蓄電装置から直流リンクへ直流電力を供給した場合における直流リンクおよび蓄電装置の電圧変動について説明する図であって、（ａ）はモータ速度を示し、（ｂ）は直流リンクおよび蓄電装置の電圧を示す。抵抗放電装置の抵抗放電動作開始レベルは、直流リンクに接続される整流器および逆変換器の各素子を保護するレベルに設定される。一方、蓄電装置は、充電手段により直流リンクに接続される整流器および逆変換器の各素子の耐圧ギリギリまで昇圧充電される。したがって、抵抗放電装置の抵抗放電動作開始レベルは、図２２に示すように蓄電装置の昇圧充電される電圧とほぼ同等もしくはそれ以上に設定される。モータ回転中に停電が発生すると、保護動作が開始されモータの減速が行われる。また、モータの減速と同時に蓄電装置から直流リンクへ直流電力の供給が開始され、さらにモータからの回生電力も直流リンクへ戻されるため、直流リンクの直流電圧は蓄電装置の初期充電電圧を超えてしまう。その後、直流リンクにおける直流電圧が予め設定された抵抗放電動作開始レベルに達すると、抵抗放電装置は抵抗放電動作を開始し、蓄電装置および直流リンクの直流電力が熱エネルギーとして消費され、直流リンクにおける直流電圧が降下に転じる。一旦抵抗放電動作を開始すると、直流リンクおよび蓄電装置の電圧が抵抗放電動作停止レベルまで低下するまで抵抗放電動作が行われる。以降、モータ減速期間中、直流リンクの直流電圧は、抵抗放電動作停止レベルと抵抗放電動作開始レベルとの間で上昇と下降とを繰り返す。モータ減速期間中に蓄電装置の電圧が上昇することはなく、抵抗放電動作停止レベルのままとなる。
【００２４】
このように、停電発生直後に蓄電装置から直流リンクへの直流電力の供給を開始すると、直流リンクの直流電圧は上昇し、抵抗放電動作開始レベルに達すると抵抗放電装置の抵抗放電動作が開始されて直流リンクの直流電圧は下降し、この直流リンクの直流電圧の下降は抵抗放電動作停止レベルに達するまで続く。この抵抗放電動作停止レベルは蓄電装置の初期充電電圧よりも低いことから、蓄電装置の初期充電電圧から抵抗放電動作停止レベルまでの電圧にほぼ相当するエネルギー分が、抵抗放電装置で無駄に消費されていることになる。つまり、保護動作のために蓄積した蓄電装置のエネルギーの一部が、抵抗放電装置で熱エネルギーとして無駄に消費されるので、エネルギーの利用効率が悪い。抵抗放電装置による蓄電装置から放電される直流電力の消費状況によっては保護動作に必要なエネルギーが不足する恐れもある。保護動作に必要なエネルギーが不足しないよう、蓄電装置のエネルギー蓄積容量を余裕を持って設計すると、蓄電装置の体積およびコストが増加してしまう。
【００２５】
従って本発明の目的は、上記問題に鑑み、停電時の保護動作のためのエネルギーとして蓄電装置に蓄積されたエネルギーを効率よく利用することができるモータ制御装置を提供することにある。
【課題を解決するための手段】
【００２６】
上記目的を実現するために、本発明の第１の態様においては、モータ制御装置は、交流電源側から供給された交流電力を整流して直流電力を出力する整流器と、整流器の直流側である直流リンクに接続され、直流リンクにおける直流電力とモータの駆動電力もしくは回生電力である交流電力とを相互電力変換する逆変換器と、整流器の交流電源側の停電を検出する停電検出手段と、直流リンクにおける直流電圧値を検出する電圧検出手段と、直流リンクに接続され、直流電力を蓄積し得る蓄電装置と、直流リンクにおける直流電圧よりも高い電圧に蓄電装置を充電する昇圧機能を有する充電手段と、蓄電装置と直流リンクとを短絡して蓄電装置に蓄積された直流電力を直流リンクに放電させる放電手段と、直流リンクに接続され、停電検出手段が停電を検出した後に電圧検出手段が検出した直流電圧値が、抵抗放電開始レベル以上のときに直流リンクの直流電力を抵抗放電により消費する抵抗放電動作を開始し、抵抗放電開始レベルより小さい抵抗放電停止レベル以下のときに抵抗放電動作を停止する抵抗放電装置と、停電検出手段が停電を検出した後から電圧検出手段が検出した直流電圧値が第１の閾値以下になるまでの間は放電手段を動作させるための放電開始指令を出力せず、電圧検出手段が検出した直流電圧値が第１の閾値以下になった場合に、放電手段を動作させるための放電開始指令を出力する放電動作判定手段と、を備える。
【００２７】
第１の態様において、第１の閾値は、整流器の交流電源側の入力電圧の波高値以下に設定されるようにしてもよい。
【００２８】
また、放電動作判定手段は、停電検出手段が停電を検出した後、電圧検出手段が検出した直流電圧値が第１の閾値よりも大きくかつ抵抗放電動作停止レベルより小さい値である第２の閾値以上の場合に、放電手段の動作を停止させるための放電停止指令を出力するようにしてもよい。
【００２９】
モータ制御装置は、モータの動作を指令するモータ駆動指令またはモータ駆動指令に基づき動作するモータの出力に関する情報であるモータ出力情報に応じて、第１の閾値を設定する閾値設定手段を備えてもよい。
【００３０】
モータ駆動指令もしくはモータ出力情報が、モータが電力を回生する回生状態にあることを示す場合には、第１の閾値を、整流器の交流電源側の入力電圧の波高値以下の値に設定し、モータ駆動指令もしくはモータ出力情報が、モータが電力を消費する力行状態にあることを示す場合には、第１の閾値を、モータ駆動指令が示す加速の大きさもしくはモータ出力情報が示すモータの出力の大きさに応じて、かつ抵抗放電停止レベルより小さい値に、設定するようにしてもよい。
【００３１】
また、本発明の第２の態様においては、モータ制御装置は、交流電源側から供給された交流電力を整流して直流電力を出力する整流器と、整流器の直流側である直流リンクに接続され、直流リンクにおける直流電力とモータの駆動電力もしくは回生電力である交流電力とを相互電力変換する逆変換器と、整流器の交流電源側の停電を検出する停電検出手段と、直流リンクにおける直流電圧値を検出する電圧検出手段と、直流リンクに接続され、直流電力を蓄積し得る蓄電装置と、直流リンクにおける直流電圧よりも高い電圧に蓄電装置を充電する昇圧機能を有する充電手段と、蓄電装置と直流リンクとを短絡して蓄電装置に蓄積された直流電力を直流リンクに放電させる放電手段と、直流リンクに接続され、停電検出手段が停電を検出した後に電圧検出手段が検出した直流電圧値が、抵抗放電開始レベル以上のときに直流リンクの直流電力を抵抗放電により消費する抵抗放電動作を開始し、抵抗放電開始レベルより小さい抵抗放電停止レベル以下のときに抵抗放電動作を停止する抵抗放電装置と、停電検出手段が停電を検出した後、モータの力行動作を指令するモータ駆動指令またはモータ駆動指令に基づき力行動作するモータの出力に関する情報であるモータ出力情報が、第３の閾値以上となるまでの間は放電動作判定手段から放電開始指令が出力されず、モータ駆動指令もしくはモータ出力情報が第３の閾値以上となった場合に、放電手段を動作させるための放電開始指令を出力する放電動作判定手段と、を備える。
【００３２】
第２の態様において、放電動作判定手段は、停電検出手段が停電を検出した後、モータの回生動作を指令するモータ駆動指令またはモータ駆動指令に基づき回生動作するモータの出力に関する情報であるモータ出力情報が、第３の閾値より小さい第４の閾値以下である場合に、放電手段の動作を停止させるための放電停止指令を出力するようにしてもよい。
【発明の効果】
【００３３】
本発明によれば、停電発生直後においては蓄電装置に蓄積された直流電力が抵抗放電装置の抵抗放電によって消費されないため、停電時の保護動作のためのエネルギーとして蓄電装置に蓄積されたエネルギーを効率よく利用することができ、保護動作に必要なエネルギーが不足するおそれはなくなり、所望の保護動作を確実に行うことができる。
【図面の簡単な説明】
【００３４】
【図１】本発明の第１の実施例によるモータ制御装置を示す回路図である。
【図２】充電手段の別の具体例を示す回路図である。
【図３】本発明の第１の実施例によるモータ制御装置において設定される第１の閾値を説明する図である。
【図４】本発明の第１の実施例によるモータ制御装置において、モータ回転中に停電が発生し蓄電装置から直流リンクへ直流電力を供給した場合における直流リンクおよび蓄電装置の電圧変動について説明する図であって、（ａ）はモータ速度を示し、（ｂ）は直流リンクおよび蓄電装置の電圧を示す。
【図５】本発明の第１の実施例によるモータ制御装置における蓄電装置からの直流電力の放電開始直後の直流リンクの直流電圧を例示する図である。
【図６】本発明の第２の実施例によるモータ制御装置において設定される第１の閾値および第２の閾値を説明する図である。
【図７】本発明の第２の実施例によるモータ制御装置において、モータ回転中に停電が発生し蓄電装置から直流リンクへ直流電力を供給した場合における直流リンクおよび蓄電装置の電圧変動について説明する図であって、（ａ）はモータ速度を示し、（ｂ）は直流リンクおよび蓄電装置の電圧を示す。
【図８】本発明の第３の実施例によるモータ制御装置を示す回路図である。
【図９】本発明の第３の実施例によるモータ制御装置内の閾値設定手段における第１の閾値の設定を説明する図である。
【図１０】本発明の第３の実施例によるモータ制御装置における蓄電装置からの直流電力の放電開始直後の直流リンクの直流電圧を例示する図である。
【図１１】本発明の第４の実施例によるモータ制御装置を示す回路図である。
【図１２】本発明の第４の実施例によるモータ制御装置において設定される第３の閾値を説明する図である。
【図１３】本発明の第４の実施例によるモータ制御装置において、モータ回転中に停電が発生し蓄電装置から直流リンクへ直流電力を供給した場合における直流リンクおよび蓄電装置の電圧変動について説明する図であって、（ａ）はモータ速度を示し、（ｂ）はモータ駆動指令もしくはモータ出力情報を示し、（ｃ）は直流リンクおよび蓄電装置の電圧を示す。
【図１４】本発明の第５の実施例によるモータ制御装置において設定される第３の閾値および第４の閾値を説明する図である。
【図１５】本発明の第５の実施例によるモータ制御装置において、モータ加速中に停電が発生し蓄電装置から直流リンクへ直流電力を供給した場合における直流リンクおよび蓄電装置の電圧変動について説明する図であって、（ａ）はモータ速度を示し、（ｂ）はモータ駆動指令もしくはモータ出力情報を示し、（ｃ）は直流リンクおよび蓄電装置の電圧を示す。
【図１６】複数のモータを駆動する一般的なモータ制御装置の構成を示す図である。
【図１７】特願２０１２−１５８４８３に係るモータ制御装置における充電手段の一具体例を示す回路図である。
【図１８】特開平１１−１７８２４５号公報（特許文献１）に記載された発明における放電手段を模式的に示した回路図である。
【図１９】特願２０１２−１５８４８３に係るモータ制御装置における抵抗放電装置の一具体例を示す回路図である。
【図２０】特願２０１２−１５８４８３に係るモータ制御装置における抵抗放電装置の一具体例における停電動作時の直流リンクの直流電圧の変動の一例を示す図である。
【図２１】昇圧機能を有する充電手段を用いて蓄電装置を昇圧充電していた場合において、モータ停止中に停電が発生し蓄電装置から直流リンクへ直流電力を供給した場合における直流リンクおよび蓄電装置の電圧変動について説明する図である。
【図２２】昇圧機能を有する充電手段を用いて蓄電装置を昇圧充電していた場合において、モータ回転中に停電が発生し蓄電装置から直流リンクへ直流電力を供給した場合における直流リンクおよび蓄電装置の電圧変動について説明する図であって、（ａ）はモータ速度を示し、（ｂ）は直流リンクおよび蓄電装置の電圧を示す。
【発明を実施するための形態】
【００３５】
以下に説明する各実施例では、複数個のモータを駆動制御するモータ制御装置について説明するが、駆動制御するモータの個数は、本発明を特に限定するものではない。
【００３６】
図１は、本発明の第１の実施例によるモータ制御装置を示す回路図である。以降、異なる図面において同じ参照符号が付されたものは同じ機能を有する構成要素であることを意味するものとする。
【００３７】
本発明の第１の実施例によるモータ制御装置１は、整流器１１と、逆変換器１２と、停電検出手段１４と、電圧検出手段２０と、蓄電装置１７と、充電手段１５と、放電手段１６と、放電動作判定手段１８と、抵抗放電装置１９と、を備える。
【００３８】
整流器１１は、商用の三相交流入力電源３のある交流電源側から供給された交流電力を整流し、整流器１１の直流側である直流リンク１３側に直流電力を出力する。本発明では、用いられる整流器１１の実施形態は特に限定されず、例えば１２０度通電回生機能付き３相全波整流回路、あるいはＰＷＭ制御方式の整流回路などがある。
【００３９】
整流器１１と逆変換器１２とは、直流リンク１３を介して接続される。逆変換器１２は、例えばＰＷＭインバータなどのような、内部にスイッチング素子を有する変換回路として構成される。ここでは、モータ制御装置１で複数のモータ２を駆動制御することを例として取りあげているので、各モータ２ごとに逆変換器１２が設けられる。逆変換器１２は、直流リンク１３側から供給される直流電力を、上位制御装置（図示せず）から受信したモータ駆動指令に基づき内部のスイッチング素子をスイッチング動作させ、モータ２を駆動するための所望の電圧および所望の周波数の三相交流電力に変換する。モータ２は、供給された電圧可変および周波数可変の三相交流電力に基づいて動作することになる。また、モータ２の制動時には回生電力が発生するが、上位制御装置から受信したモータ駆動指令に基づき、モータ２で発生した回生電力である交流電力を、直流電力へ変換して直流リンク１３へ戻す。このように、逆変換器１２は、受信したモータ駆動指令に基づき、直流リンク１３における直流電力とモータ２の駆動電力もしくは回生電力である交流電力とを相互電力変換するものである。
【００４０】
停電検出手段１４は、整流器１１に交流電力を供給する三相交流入力電源３側に設けられ、三相交流入力電源３の交流電圧もしくは電圧検出手段２０によって検出された直流リンク１３の直流電圧を用いて整流器１１の交流電源側の停電の有無を検出する。停電検出手段１４の検出結果は放電動作判定手段１８に送られる。
【００４１】
電圧検出手段２０は、整流器１１と逆変換器１２との間の直流リンク１３における直流電圧値を検出する。電圧検出手段２０の検出結果は停電検出手段１４、放電動作判定手段１８および上位制御装置（図示せず）に送られる。
【００４２】
蓄電装置１７は、後述する充電手段１５および放電手段１６を介して直流リンク１３に接続され、直流リンク１３における直流電力を蓄積し得るものであり、例えばコンデンサなどにより構成される。蓄電装置１７には、充電電圧を検出するための蓄電装置電圧検出手段（図示せず）が設けられ、蓄電装置電圧検出手段が検出した蓄電装置１７の充電電圧に関する情報は上位制御手段に送られる。
【００４３】
充電手段１５は、上位制御装置から充電指令を受信したとき、直流リンク１３における直流電力を蓄電装置１７に取り込んで蓄電装置１７を充電する。上位制御装置は、蓄電装置１７を充電する際には、蓄電装置１７の充電電圧と、電圧検出手段２０により検出された直流リンク１３における直流電圧とを比較し、充電手段１５の充電動作を指令する充電指令を作成し、これを充電手段１５へ送出する。充電手段１５は、直流リンク１３における直流電圧よりも高い電圧に蓄電装置１７を充電する昇圧機能を有するものであり、例えば昇降圧チョッパ回路により構成される。昇降圧チョッパ回路の構成自体は本発明を特に限定するものではなく、例えば図１７を参照して説明した昇降圧チョッパ回路を充電手段１５として用いてもよい。また、あるいは図１７に示した昇降圧チョッパ回路以外の昇降圧チョッパ回路で充電手段１５を構成してもよい。図２は、充電手段の別の具体例を示す回路図である。充電手段１５は、図２に示すように、スイッチＳ５、ダイオードＤ４およびインダクタＬ３からなる昇降圧チョッパ回路で構成してもよい。
【００４４】
図１に説明を戻すと、放電手段１６は、放電動作判定手段１８から放電開始指令を受信したとき、蓄電装置１７と直流リンク１３とを短絡して蓄電装置１７に蓄積された直流電力を直流リンク１３に放電させるものである。放電手段１６は、例えば、図１８を参照して説明した回路などがある。
【００４５】
放電動作判定手段１８は、停電検出手段１４が停電を検出した後、電圧検出手段２０が検出した直流電圧値が第１の閾値以下の場合に、放電手段１６を動作させるための放電開始指令を出力する。第１の閾値の詳細については後述する。
【００４６】
抵抗放電装置１９は、直流リンク１３に接続され、停電検出手段１４が停電を検出した後に電圧検出手段２０が検出した直流電圧値が、抵抗放電開始レベル以上のときに直流リンク１３の直流電力を抵抗放電により消費する抵抗放電動作を開始し、抵抗放電開始レベルより小さい抵抗放電停止レベル以下のときに抵抗放電動作を停止する。抵抗放電装置１９の構成自体は本発明を特に限定するものではなく、例えば図１９を参照して説明した回路を用いてもよい。
【００４７】
ここで、本発明の第１の実施例によるモータ制御装置１において設定される第１の閾値について説明する。
【００４８】
放電動作判定手段１８は、停電検出手段１４が停電を検出した後、電圧検出手段２０が検出した直流電圧値が第１の閾値以下の場合に、放電手段１６を動作させるための放電開始指令を出力する。すなわち、本発明の第１の実施例では、停電検出手段１４が交流電源側の停電を検出した直後に蓄電装置１７に蓄積された直流電力の直流リンク１３への放電を開始するのではなく、停電検出手段１４が停電を検出した後であってさらに電圧検出手段２０が検出した直流電圧値が第１の閾値以下になった時点で、蓄電装置１７に蓄積された直流電力の直流リンク１３への放電を開始する。
【００４９】
交流電源側で停電が発生したときの保護動作においては、直流リンク１３における直流電力が逆変換器１２を介してモータ２で消費されるモータ力行動作時は蓄電装置１７から直流リンク１３へ直流電力を供給する必要があるが、直流リンク１３に逆変換器１２を介して直流電力が戻されるモータ回生動作時は蓄電装置１７から電力を供給する必要はない。そこで、本発明の第１の実施例では、交流電源側で停電が発生したとき、直流リンク１３の直流電圧に応じて蓄電装置１７から直流リンク１３への直流電力供給開始のタイミングを調整する。具体的には次の通りである。
【００５０】
図３は、本発明の第１の実施例によるモータ制御装置において設定される第１の閾値を説明する図である。図３に示すように、停電検出手段１４による停電検出直後から蓄電装置１７が直流リンク１３へ直流電力を供給しないようにするため、第１の閾値は、整流器１１の交流電源側の入力電圧の波高値以下に予め設定される。放電動作判定手段１８は、停電検出手段１４により交流電源側の停電が検出された後、電圧検出手段２０が検出した直流リンク１３の直流電圧値が第１の閾値以下になった場合に、放電手段１６を動作させるための放電開始指令を放電手段１６に対して指令する。放電手段１６は、放電動作判定手段１８から放電開始指令を受信したとき、蓄電装置１７と直流リンク１３とを短絡する。これにより蓄電装置１７の放電動作が開始され、蓄電装置１７に蓄積された直流電力は直流リンク１３に供給される。
【００５１】
図４は、本発明の第１の実施例によるモータ制御装置において、モータ回転中に停電が発生し蓄電装置から直流リンクへ直流電力を供給した場合における直流リンクおよび蓄電装置の電圧変動について説明する図であって、（ａ）はモータ速度を示し、（ｂ）は直流リンクおよび蓄電装置の電圧を示す。
【００５２】
モータ回転中に停電が発生すると、加工対象やツールの退避といった保護動作が開始され、モータ２の減速が行われる。停電検出手段１４により交流電源側の停電が検出された後、保護動作開始直後のモータ減速期間中は、しばらく直流リンク１３の直流電圧は第１の閾値以上であるため、蓄電装置１７からの直流リンク１３への直流電力の供給が開始されることはない。保護動作が開始されモータ２が減速されると、当該保護動作によってモータ２からの回生電力も直流リンク１３へ戻されるため、直流リンク１３の直流電圧は変動する。すなわち、直流リンク１３の直流電圧が予め設定された抵抗放電動作開始レベルに達すると、抵抗放電装置１９は抵抗放電動作を開始し、直流リンク１３の直流電力が熱エネルギーとして消費され、直流リンク１３における直流電圧は下降するが、直流リンク１３の直流電圧が抵抗放電動作停止レベルまで低下すると抵抗放電装置１９は抵抗放電動作を停止するので、モータ２からの回生電力により直流リンク１３の電圧は上昇する。モータ２が完全に停止すると、モータ２からの回生電力は直流リンク１３に戻されなくなるので、このまま当該保護動作によってモータが加速して直流リンク１３の直流電力が消費され続けると、直流リンク１３の直流電圧は低下し続ける。放電動作判定手段１８は、電圧検出手段２０が検出した直流リンク１３の直流電圧値が第１の閾値以下になったと判定すると、放電手段１６を動作させるための放電開始指令を放電手段１６に対して指令する。放電手段１６は、放電動作判定手段１８からの放電開始指令を受けて、蓄電装置１７と直流リンク１３とを短絡する。これにより蓄電装置１７の放電動作が開始され、蓄電装置１７に蓄積された直流電力は直流リンク１３に供給される。蓄電装置１７から直流リンク１３に供給された直流電力は逆変換器１２により交流電力に変換され、これを駆動エネルギー源として加工対象やツールの退避といった保護動作が実行される。
【００５３】
このように、放電動作判定手段１８は、停電検出手段１４により交流電源側の停電が検出された後、電圧検出手段２０が検出した直流リンク１３の直流電圧値が第１の閾値以下になった場合に、放電手段１６を動作させるための放電開始指令を放電手段１６に対して指令するので、保護動作開始直後のモータ減速によって直流リンク１３の電圧が上昇して抵抗放電動作開始レベルに達して抵抗放電装置１９による抵抗放電動作が行われたとしても、蓄電装置１７からの直流リンク１３への直流電力の供給は開始されていないため、抵抗放電装置１９によって蓄電装置１７に蓄積された直流電力が消費されることはない。つまり、本発明の第１の実施例では、停電検出手段が停電を検出した後から電圧検出手段２０が検出した直流電圧値が第１の閾値以下になるまでの間は放電動作判定手段１８から放電開始指令が出力されず、放電手段１６が動作しないことで、蓄電装置１７に蓄積された直流電力を抵抗放電装置１９により消費させない。すなわち、本発明の第１の実施例によれば、停電時の保護動作のためのエネルギーとして蓄電装置１７に蓄積されたエネルギーを効率よく利用することができ、保護動作に必要なエネルギーが不足するおそれはなく、所望の保護動作を確実に行うことができる。
【００５４】
続いて、本発明の第２の実施例によるモータ制御装置について説明する。上述の第１の実施例では、交流電源側の停電発生後に行われる蓄電装置１７からの直流リンク１３への直流電力の供給の開始のタイミングを第１の閾値を設定することによって調整したが、本発明の第２の実施例は、蓄電装置１７からの直流リンク１３への直流電力の供給の開始のタイミングを調整するための第１の閾値に加え、蓄電装置１７からの直流リンク１３への直流電力の供給の停止のタイミングを調整するための第２の閾値を設定するものである。
【００５５】
図５は、本発明の第１の実施例によるモータ制御装置における蓄電装置からの直流電力の放電開始直後の直流リンクの直流電圧を例示する図である。図５において、モータ出力が大きい場合の直流リンク１３の直流電圧を実線で示し、モータ出力が小さい場合の直流リンク１３の直流電圧を破線で示す。上述の第１の実施例において、放電動作判定手段１８が放電手段１６に放電開始を指令してから、実際に蓄電装置１７からの直流電力の放電が開始されるまでには、放電開始指令の通知遅れやハード的なスイッチオンまでの遅れに起因する遅れ時間が存在する。そのため、図５に示すように、放電動作判定手段１８が放電手段１６に対して放電開始指令を出力しても、実際に放電手段１６が動作をして蓄電装置１７からの直流電力の放電が開始されるまでの間は、直流リンク１３の直流電圧はなおも下降を続ける。図５に示すように、モータ力行状態でモータ出力が大きいほど、直流リンク１３の直流電力をより多く消費することから、直流リンク１３の直流電圧の下降の傾きがより大きくなり、放電動作判定手段１８が放電手段１６に対して放電開始指令を出力してから実際に蓄電装置１７からの直流電力の放電が開始されるまでの間に、直流リンク１３の直流電圧の下降の度合いも大きくなる。直流リンク１３の直流電圧の下降が大きいと、停電発生後において蓄電装置からの電力供給開始前にモータ２が正常に保護動作を実行可能な直流リンク１３の直流電圧値を下回ってしまう可能性が高くなる。
【００５６】
上記のような問題を回避するために、第１の閾値を入力電圧の波高値以上に設定できるようにするために、本発明の第２の実施例では、放電動作判定手段１８は、停電検出手段１４が停電を検出した後に電圧検出手段２０が検出した直流リンク１３の直流電圧値が第２の閾値以上になった場合に、放電手段１６を停止させるための放電停止指令を出力する。以下、動作原理について詳細に説明する。
【００５７】
図６は、本発明の第２の実施例によるモータ制御装置において設定される第１の閾値、および第２の閾値を説明する図である。図６に示すように、第２の閾値は第１の閾値よりも大きな値に設定し、第１の閾値と第2の閾値との間にヒステリシスを持たせる。また、抵抗放電装置１９による抵抗放電動作が確実に停止している時に蓄電装置１７から電力を供給するため、第２の閾値は抵抗放電動作停止レベル以下に設定する。
【００５８】
上述の第１の実施例では、第１の閾値を整流器１１の交流電源側の入力電圧の波高値以下に設定したが、本発明の第２の実施例では、第１の閾値を交流電源側の入力電圧の波高値以下に設定する必要はなく、例えば第１の閾値を交流電源側の入力電圧の波高値以上に設定してもよい。以下、その理由について説明する。
【００５９】
図７は、本発明の第２の実施例によるモータ制御装置において、モータ回転中に停電が発生し蓄電装置から直流リンクへ直流電力を供給した場合における直流リンクおよび蓄電装置の電圧変動について説明する図であって、（ａ）はモータ速度を示し、（ｂ）は直流リンクおよび蓄電装置の電圧を示す。
【００６０】
モータ回転中に停電が発生すると、加工対象やツールの退避といった保護動作が開始され、モータ２の減速が行われる。停電検出手段１４により交流電源側の停電が検出された後しばらくは、直流リンク１３の直流電圧は第１の閾値以下であるため、放電動作判定手段１８は放電開始指令を出力し、したがって停電検出手段１４による停電検出直後から蓄電装置１７は直流リンク１３へ直流電力を供給する。この蓄電装置１７からの直流リンク１３への直流電力の供給およびモータ２の回生電力の発生により、直流リンク１３の直流電圧は上昇する。その後、直流リンク１３の電圧が第２の閾値を超えた時点で、放電動作判定手段１８は、放電手段１６の動作を停止させるための放電停止指令を放電手段１６に対して出力する。しかしながら、放電手段１６のスイッチ（図１８）がサイリスタのように即時にオフできないデバイスで構成されている場合は、放電手段１６は放電停止指令を受信しても直ぐには蓄電装置１７と直流リンク１３との接続を切断できず、蓄電装置１７が直流リンク１３に接続されたままの状態となる。その後、蓄電装置１７の充電電圧と直流リンク１３の直流電圧が同じになり、さらに直流リンク１３の直流電圧のみ上昇したところで、サイリスタに電流が流れなくなり、デバイスがオフされる。この時点でようやく蓄電装置１７が直流リンク１３から切り離される。さらにモータ２の減速が続くと、モータ２の回生電力が直流リンク１３へ戻され、直流リンク１３の直流電圧は上昇を続ける。直流リンク１３の直流電圧が予め設定された抵抗放電動作開始レベルに達すると、抵抗放電装置１９は抵抗放電動作を開始し、直流リンク１３の直流電力が熱エネルギーとして消費される。しかしながら、この時点では蓄電装置１７は直流リンク１３から切り離されているため、直流リンク１３における直流電力が消費されるだけで蓄電装置１７に蓄積された直流電力までは消費されない。放電動作判定手段１８は、電圧検出手段２０が検出した直流リンク１３の直流電圧値が第１の閾値以下になったと判定すると、放電手段１６を動作させるための放電開始指令を放電手段１６に対して指令する。放電手段１６は、放電動作判定手段１８からの放電開始指令を受けて、蓄電装置１７と直流リンク１３とを短絡する。これにより蓄電装置１７の放電動作が開始され、蓄電装置１７に蓄積された直流電力は直流リンク１３に供給される。蓄電装置１７から直流リンク１３に供給された直流電力は逆変換器１２により交流電力に変換され、これを駆動エネルギー源として加工対象やツールの退避といった保護動作が実行される。
【００６１】
以上説明したように、本発明の第２の実施例では、蓄電装置１７に蓄積された直流電力が抵抗放電装置１９の抵抗放電によって消費されないため、第１の閾値を交流電源側の入力電圧の波高値以下に設定する必要はなく、例えば第１の閾値を交流電源側の入力電圧の波高値以上に設定してもよい。このように、本発明の第２の実施例では、停電発生直後においては蓄電装置１７に蓄積された直流電力が抵抗放電装置１９の抵抗放電によって消費されないため、停電時の保護動作のためのエネルギーとして蓄電装置１７に蓄積されたエネルギーを効率よく利用することができ、保護動作に必要なエネルギーが不足するおそれはなくなり、所望の保護動作を確実に行うことができる。また、蓄電装置からの電力供給開始前にモータ２が正常に保護動作を実行可能な直流リンク１３の直流電圧値を下回ってしまう可能性が低くなる。
【００６２】
続いて、本発明の第３の実施例によるモータ制御装置について説明する。図８は、本発明の第３の実施例によるモータ制御装置を示す回路図である。また、図９は、本発明の第３の実施例によるモータ制御装置内の閾値設定手段における第１の閾値の設定を説明する図である。本発明の第３の実施例は、上述の第１の実施例に、閾値設定手段２１を追加したものである。閾値設定手段２１は、モータ２の動作を指令するモータ駆動指令またはモータ駆動指令に基づき動作するモータ２の出力に関する情報であるモータ出力情報に応じて、第１の閾値を設定する。モータ駆動指令は上位制御装置（図示せず）から閾値設定手段２１に入力される。また、モータ出力情報は、当該モータ駆動指令に基づいてモータ２が動作した場合において算出されるものであり、モータ印加電圧やモータ電流、モータの回転速度などのパラメータなどにを用いて公知の方法で算出されるものである。なお、これ以外の回路構成要素については図１に示す回路構成要素と同様であるので、同一の回路構成要素には同一符号を付して当該回路構成要素についての詳細な説明は省略する。
【００６３】
図９において、モータ駆動指令およびモータ出力情報は、モータ２が電力を消費するモータ力行状態の場合に正、モータ２が電力を回生するモータ回生状態の場合に負であるとし、無負荷状態ではゼロとする。
【００６４】
図９に示すように、モータ駆動指令もしくはモータ出力情報が、モータ２が電力を回生する回生状態にあることを示す場合には、閾値設定手段２１は、第１の閾値を、整流器１１の交流電源側の入力電圧の波高値以下の値に設定する。このように、モータ２が電力を回生する回生状態にあることを示す場合において、第１の閾値を整流器１１の交流電源側の入力電圧の波高値以下の値に設定するのは、図３を参照して説明したように停電発生直後から蓄電装置１７が直流リンク１３に直流電力を供給しないようにするためである。
【００６５】
また、図９に示すように、モータ駆動指令もしくはモータ出力情報が、モータが電力を消費する力行状態にあることを示す場合には、閾値設定手段２１は、第１の閾値を、モータ駆動指令が示す加速の大きさもしくはモータ出力情報が示すモータの出力の大きさに応じて、かつ抵抗放電停止レベルより小さい値に、設定する。すなわち、閾値設定手段２１は、モータ駆動指令が示す加速の大きさもしくはモータ出力情報が示すモータの出力の大きさければ大きいほど、モータ力行状態における第１の閾値を大きい値に設定し、その上限値は抵抗放電停止レベルより小さい値とする。
【００６６】
ここで、モータ力行状態における第１の閾値を増加させる傾き（すなわちモータ駆動指令もしくはモータ出力情報の増加に対する第１の閾値の増加の割合）は、蓄電装置１７を除くシステムの直流リンク１３に蓄えられるエネルギーに応じて予め定める。例えば、傾きを直流リンク１３に蓄えられるエネルギーに反比例して定める。すなわち、直流リンク１３に蓄えられるエネルギーが大きい場合には傾きは小さく、蓄えられるエネルギーが小さい場合には傾きは大きく定める。またあるいは、直流リンク１３に蓄えられるエネルギーＰ〔Ｊ〕]は、直流リンク１３の直流電圧をＶ〔Ｖ〕、直流リンク１３の有するコンデンサ容量をＣ〔Ｆ〕とすると、Ｐ＝ＣＶ2／２となるため、上記傾きを、直流リンク１３の有するコンデンサ容量に応じて定めてもよい。また、モータ力行状態において抵抗放電装置１９による抵抗放電動作が確実に停止している状態で蓄電装置１７からの直流リンク１３への直流電力の供給を開始するため、閾値設定手段２１では、モータ力行状態における第１の閾値に、抵抗放電動作停止レベル以下の上限値を設定する。すなわち、モータ力行状態における第１の閾値が上限値に達する場合、閾値設定手段２１は第１の閾値を当該上限値にてクランプする。
【００６７】
図１０は、本発明の第３の実施例によるモータ制御装置における蓄電装置からの直流電力の放電開始直後の直流リンクの直流電圧を例示する図である。図５を参照して説明したように、第１の実施例では、放電動作判定手段１８からの放電開始指令の通知遅れや放電手段１６のハード的なスイッチオンまでの遅れに起因して、放電動作判定手段１８が放電手段１６に対して放電開始指令を出力してから実際に蓄電装置１７からの直流電力の放電が開始されるまでの間は、直流リンク１３の直流電圧はなおも下降を続ける。図５に示すように、モータ力行状態でモータ出力が大きいほど、直流リンク１３の直流電力をより多く消費することから、直流リンク１３の直流電圧の下降の度合いも大きくなる。直流リンク１３の直流電圧の下降が大きいと、停電発生後において蓄電装置１７からの電力供給開始前にモータ２が正常に保護動作を実行可能な直流リンク１３の直流電圧値を下回ってしまう可能性が高くなる。これについて、本発明の第３の実施例によれば、図１０に示すように、モータ力行状態において、モータ駆動指令またはモータ出力情報が大きくなるにつれて、第１の閾値がより一層引き上げられるので、実際に蓄電装置１７から直流リンク１３へ直流電力の供給が開始される時点の直流リンク１３の直流電圧が上昇する。これにより、停電発生後、蓄電装置１７からの直流電力供給開始前に保護動作に必要なエネルギーが不足するおそれはなくなり、所望の保護動作を確実に行うことができる。また、蓄電装置１７からの電力供給開始前にモータ２が正常に保護動作を実行可能な直流リンク１３の直流電圧値を下回ってしまう可能性が低くなる。
【００６８】
続いて、本発明の第４の実施例によるモータ制御装置について説明する。図１１は、本発明の第４の実施例によるモータ制御装置を示す回路図である。
【００６９】
本発明の第４の実施例によるモータ制御装置１’は、整流器１１と、逆変換器１２と、停電検出手段１４と、蓄電装置１７と、充電手段１５と、放電手段１６と、放電動作判定手段２８と、抵抗放電装置１９と、を備える。
【００７０】
整流器１１、逆変換器１２、停電検出手段１４、蓄電装置１７、充電手段１５、放電手段１６、抵抗放電装置１９については、図１を称して説明した通りであるので、詳細な説明は省略する。また、図１１では、整流器１１と逆変換器１２との間の直流リンク１３における直流電圧値を検出する電圧検出手段については図示を省略しているが、電圧検出手段の検出結果は停電検出手段および上位制御装置（図示せず）に送られる。
【００７１】
放電動作判定手段２８は、停電検出手段１４が停電を検出した後、モータ２の力行動作を指令するモータ駆動指令またはモータ駆動指令に基づき力行動作するモータ２の出力に関する情報であるモータ出力情報が、第３の閾値以上である場合に、放電手段１６を動作させるための放電開始指令を出力する。
【００７２】
上述のように、停電発生後の保護動作においては、直流リンクのエネルギーを消費するモータ力行動作時は蓄電装置１７から直流リンク１３へ直流電力を供給する必要があるが、直流リンク１３にエネルギーを戻すモータ回生動作時は蓄電装置１７から直流リンク１３へ直流電力を供給する必要はない。そこで、本発明の第４の実施例では、放電動作判定手段２８は、停電検出手段１４が停電を検出した後、モータ駆動指令もしくはモータ出力情報がモータ力行状態を示す場合には、当該モータ駆動指令もしくは当該モータ出力情報が第３の閾値以上である場合に、放電手段１６を動作させるための放電開始指令を出力する。したがって、放電手段１６は、停電発生後にモータ２がモータ力行状態にある場合において、モータ駆動指令もしくはモータ出力情報が第３の閾値以上である場合に、蓄電装置１７と直流リンク１３とを短絡して蓄電装置１７に蓄積された直流電力を直流リンク１３に放電させる。
【００７３】
ここで、本発明の第４の実施例によるモータ制御装置１’において設定される第３の閾値について説明する。図１２は、本発明の第４の実施例によるモータ制御装置において設定される第３の閾値を説明する図である。図１２において、モータ駆動指令およびモータ出力情報は、モータ２が電力を消費するモータ力行状態の場合に正、モータ２が電力を回生するモータ回生状態の場合に負であるとし、無負荷状態ではゼロとする。
【００７４】
本発明の第4の実施例では、図１２に示すように、停電検出手段１４による停電検出直後から蓄電装置１７が直流リンク１３へ直流電力を供給しないようにするため、モータ駆動指令もしくはモータ出力情報がモータ力行状態を示す場合に、第３の閾値を設定する。第３の閾値は、モータ駆動指令が示す加速の大きさもしくはモータ出力情報が示すモータの出力の大きさに応じて設定される。
【００７５】
図１３は、本発明の第４の実施例によるモータ制御装置において、モータ回転中に停電が発生し蓄電装置から直流リンクへ直流電力を供給した場合における直流リンクおよび蓄電装置の電圧変動について説明する図であって、（ａ）はモータ速度を示し、（ｂ）はモータ駆動指令もしくはモータ出力情報を示し、（ｃ）は直流リンクおよび蓄電装置の電圧を示す。図１３（ｂ）において、モータ駆動指令およびモータ出力情報は、モータ２が電力を消費するモータ力行状態の場合に正、モータ２が電力を回生するモータ回生状態の場合に負であるとし、無負荷状態ではゼロとする。
【００７６】
モータ回転中に停電が発生すると、加工対象やツールの退避といった保護動作が開始され、モータ２の減速が行われるが、停電発生直後にモータが加速中でなければ、蓄電装置１７から直流リンク１３への直流電力の供給は開始されない。停電発生直後のモータ減速中は、モータ駆動指令もしくはモータ出力情報はモータ回生状態を示すため、当該モータ駆動指令もしくはモータ出力情報は第３の閾値以下であり、蓄電装置１７から直流リンク１３への直流電力の供給は開始されない。加工対象やツールの退避といった停電保護動作をモータ２が行い、このときのモータ駆動指令もしくはモータ出力情報が第３の閾値以上になると、蓄電装置１７から直流リンク１３への直流電力の供給が開始される。このように、保護動作開始直後のモータ減速停止によって直流リンクの電圧が上昇し、抵抗放電装置１９による抵抗放電動作が行われたとしても、蓄電装置１７から直流リンク１３への直流電力供給は開始されていないので、蓄電装置１７に蓄積された直流電力が抵抗放電装置１９の抵抗放電によって消費されず、停電時の保護動作のためのエネルギーとして蓄電装置１７に蓄積されたエネルギーを効率よく利用することができ、保護動作に必要なエネルギーが不足するおそれはなくなり、所望の保護動作を確実に行うことができる。
【００７７】
続いて、本発明の第５の実施例によるモータ制御装置について説明する。本発明の第５の実施例は、上述の第４の実施例において、さらに、モータ２が回生動作状態にあるとき、モータ駆動指令もしくはモータ出力情報が第４の閾値以下である場合には蓄電装置１７から直流リンク１３への直流電力の供給を停止するものである。
【００７８】
図１４は、本発明の第５の実施例によるモータ制御装置において設定される第３の閾値および第４の閾値を説明する図である。図１４において、モータ駆動指令およびモータ出力情報は、モータ２が電力を消費するモータ力行状態の場合に正、モータ２が電力を回生するモータ回生状態の場合に負であるとし、無負荷状態ではゼロとする。
【００７９】
本発明の第５の実施例では、図１４に示すように、停電検出手段１４による停電検出直後から蓄電装置１７が直流リンク１３へ直流電力を供給しないようにするため、モータ駆動指令もしくはモータ出力情報がモータ力行状態を示す場合には、上述の第４の実施例の場合と同様に第３の閾値を設定する。第３の閾値は、モータ駆動指令が示す加速の大きさもしくはモータ出力情報が示すモータの出力の大きさに応じて設定される。また、モータ駆動指令もしくはモータ出力情報がモータ回生状態を示す場合には、第４の閾値を設定する。第４の閾値は、モータ駆動指令が示す最大減速の大きさもしくはモータ出力情報が示すモータの最大回生出力の大きさに応じて設定される。なお、第４の閾値は、モータ回生状態を示すモータ駆動指令もしくはモータ出力情報に対するものであるので、当然のことながら第３の閾値より小さい値である。
【００８０】
図１５は、本発明の第５の実施例によるモータ制御装置において、モータ加速中に停電が発生し蓄電装置から直流リンクへ直流電力を供給した場合における直流リンクおよび蓄電装置の電圧変動について説明する図であって、（ａ）はモータ速度を示し、（ｂ）はモータ駆動指令もしくはモータ出力情報を示し、（ｃ）は直流リンクおよび蓄電装置の電圧を示す。図１５（ｂ）において、モータ駆動指令およびモータ出力情報は、モータ２が電力を消費するモータ力行状態の場合に正、モータ２が電力を回生するモータ回生状態の場合に負であるとし、無負荷状態ではゼロとする。
【００８１】
モータ回転中に停電が発生した後、加工対象やツールの退避といった保護動作が開始され、モータ２の減速が行われるが、停電発生後、モータ２が加速中でこのときのモータ駆動指令もしくはモータ出力情報が第３の閾値以上の値を示すと、蓄電装置１７から直流リンク１３への直流電力の供給が開始される。加工対象やツールの退避といった停電保護動作をモータ２が行うことでモータ２が減速し、モータ駆動指令もしくはモータ出力情報が第４の閾値以下の値を示したとき、蓄電装置１７からの直流リンク１３への直流電力の供給を停止する。しかしながら、放電手段１６のスイッチ（図１８）がサイリスタのように即時にオフできないデバイスで構成されている場合は、放電手段１６は放電停止指令を受信しても直ぐには蓄電装置１７と直流リンク１３との接続を切断できず、蓄電装置１７が直流リンク１３に接続されたままの状態となる。その後、蓄電装置１７の充電電圧と直流リンク１３の直流電圧が同じになり、さらに直流リンク１３の直流電圧のみ上昇したところで、サイリスタに電流が流れなくなり、デバイスがオフされる。この時点でようやく蓄電装置１７が直流リンク１３から切り離される。さらにモータ２の減速が続くと、モータ２の回生電力が直流リンク１３へ戻され、直流リンク１３の直流電圧は上昇を続ける。直流リンク１３の直流電圧が予め設定された抵抗放電動作開始レベルに達すると、抵抗放電装置１９は抵抗放電動作を開始し、直流リンク１３の直流電力が熱エネルギーとして消費される。しかしながら、この時点では蓄電装置１７は直流リンク１３から切り離されているため、直流リンク１３における直流電力が消費されるだけで蓄電装置１７に蓄積された直流電力までは消費されない。放電動作判定手段２８は、モータ２による保護動作でモータ駆動指令もしくはモータ出力情報が第３の閾値以上になった時点で、再度、放電手段１６を動作させるための放電開始指令を放電手段１６に対して指令する。放電手段１６は、放電動作判定手段２８からの放電開始指令を受けて、蓄電装置１７と直流リンク１３とを短絡する。これにより、再度、蓄電装置１７の放電動作が開始され、蓄電装置１７に蓄積された直流電力は直流リンク１３に供給される。このように、蓄電装置１７から直流リンク１３に供給された直流電力は逆変換器１２により交流電力に変換され、これを駆動エネルギー源として加工対象やツールの退避といった保護動作が実行される。
【産業上の利用可能性】
【００８２】
本発明は、工作機械、鍛圧機械、射出成形機、産業機械、あるいは各種ロボット内のモータを駆動するモータ制御装置として、入力された交流電力を直流電力に変換する整流器と、直流変換部から出力された直流電力を各モータの駆動電力としてそれぞれ供給される交流電力に変換する逆変換器と、を有するものにおいて、整流器の交流電源側で停電の発生が発生した際に、このモータ制御装置が駆動するモータ、当該モータに接続されたツール、当該ツールが加工する加工対象、当該モータ制御装置を有する製造ラインなどを保護するための各種保護動作が実行される場合に適用することができる。
【符号の説明】
【００８３】
１、１’    モータ制御装置
２    モータ
３    三相交流入力電源
１１    整流器
１２    逆変換器
１３    直流リンク
１４    停電検出手段
１５    充電手段
１６    放電手段
１７    蓄電装置
１８、２８    放電動作判定手段
１９    抵抗放電装置
２０    電圧検出手段
２１    閾値設定手段
【図１】
0005602890.tif 000003
【図２】
0005602890.tif 000004
【図３】
0005602890.tif 000005
【図４】
0005602890.tif 000006
【図５】
0005602890.tif 000007
【図６】
0005602890.tif 000008
【図７】
0005602890.tif 000009
【図８】
0005602890.tif 000010
【図９】
0005602890.tif 000011
【図１０】
0005602890.tif 000012
【図１１】
0005602890.tif 000013
【図１２】
0005602890.tif 000014
【図１３】
0005602890.tif 000015
【図１４】
0005602890.tif 000016
【図１５】
0005602890.tif 000017
【図１６】
0005602890.tif 000018
【図１７】
0005602890.tif 000019
【図１８】
0005602890.tif 000020
【図１９】
0005602890.tif 000021
【図２０】
0005602890.tif 000022
【図２１】
0005602890.tif 000023
【図２２】
0005602890.tif 000024